【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
相変化インク画像形成デバイス用の複数種類のインクスティックを含むインクスティックセットであって、
第１のインク色を有する第１のインクスティックであって、第１のインクスティックを第１のインク色を持つインクスティックとして識別する第１の構造的機構と、相変化インク画像形成デバイスの第１モデルのインクローダへの装填口に第１のインクスティックを通すことを可能にし、相変化インク画像形成デバイスの第２モデルのインクローダへの装填口にも第１のインクスティックを通すことを可能にする第２の構造的機構と、を有する第１のインクスティックと、
第１のインク色を有する第２のインクスティックであって、第１のインクスティックと第２のインクスティックとを第１のインク色を持つインクスティックとして識別する第１の構造的機構と、相変化インク画像形成デバイスの第２モデルのインクローダへの装填口に第２のインクスティックを通すことを可能にし、相変化インク画像形成デバイスの第１のモデルのインクローダへの装填口には第２のインクスティックを通すことを不可能にする第３の構造的機構と、を有する第２のインクスティックと、
を含み、
第２の構造的機構と第３の構造的機構の形状を除き、第１のインクスティックと第２のインクスティックとがほぼ同一形状を有する、インクスティックセット。
【請求項２】
請求項１記載のインクスティックセットであって、相変化インク画像形成デバイスの第１モデル及び相変化インク画像形成デバイスの第２モデルの第１インクローダ及び第２インクローダの装填口に通す方向にほぼ直行する方向における第２インクスティックの寸法が、第１インクスティックの対応する寸法よりも大きいインクスティックセット。
【請求項３】
複数個の相変化インク画像形成デバイスを含み、各相変化インク画像形成デバイスがインクローダを備え、各インクローダにはインクスティック用の装填口が形成された相変化インク画像形成システムであって、
第１のインク色を有する第１のインクスティックであって、第１のインクスティックを第１のインク色を持つインクスティックとして識別する第１の構造的機構と、相変化インク画像形成デバイスの第１モデルのインクローダへの装填口に第１のインクスティックを通すことを可能にし、相変化インク画像形成デバイスの第２モデルのインクローダへの装填口にも第１のインクスティックを通すことを可能にする第２の構造的機構と、を有する第１のインクスティックと、
第１のインク色を有する第２のインクスティックであって、第１のインクスティックと第２のインクスティックとを第１のインク色を持つインクスティックとして識別する第１の構造的機構と、相変化インク画像形成デバイスの第２モデルのインクローダへの装填口に第２のインクスティックを通すことを可能にし、相変化インク画像形成デバイスの第１のモデルのインクローダへの装填口には第２のインクスティックを通すことを不可能にする第３の構造的機構と、を有する第２のインクスティックと、
を含み、
第２の構造的機構と第３の構造的機構の形状を除き、第１のインクスティックと第２のインクスティックとがほぼ同一形状を有する、相変化インク画像形成システム。
【請求項４】
相変化インク画像形成デバイス用の複数種類のインクスティックを形成する方法であって、
第１のインク色を有する第１のインクスティックであって、第１のインクスティックを第１のインク色を持つインクスティックとして識別する第１の構造的機構と、相変化インク画像形成デバイスの第１モデルのインクローダへの装填口に第１のインクスティックを通すことを可能にし、相変化インク画像形成デバイスの第２モデルのインクローダへの装填口にも第１のインクスティックを通すことを可能にする第２の構造的機構と、を有する第１のインクスティックを形成するステップと、
第１のインク色を有する第２のインクスティックであって、第１のインクスティックと第２のインクスティックとを第１のインク色を持つインクスティックとして識別する第１の構造的機構と、相変化インク画像形成デバイスの第２モデルのインクローダへの装填口に第２のインクスティックを通すことを可能にし、相変化インク画像形成デバイスの第１のモデルのインクローダへの装填口には第２のインクスティックを通すことを不可能にする第３の構造的機構と、を有する第２のインクスティックを形成するステップと、
を有する方法。
【手続補正２】
【補正対象書類名】明細書
【補正対象項目名】００１０
【補正方法】変更
【補正の内容】
【００１０】
上掲の問題点のうち幾つかを解消乃至緩和するため、本発明の一実施形態に係り相変化インク画像形成デバイス用の複数種類のインクスティックを含むインクスティックセットにおいては、第１のインク色を有する第１のインクスティックであって、第１のインクスティックを第１のインク色を持つインクスティックとして識別する第１の構造的機構と、相変化インク画像形成デバイスの第１モデルのインクローダへの装填口に第１のインクスティックを通すことを可能にし、相変化インク画像形成デバイスの第２モデルのインクローダへの装填口にも第１のインクスティックを通すことを可能にする第２の構造的機構と、を有する第１のインクスティックと、第１のインク色を有する第２のインクスティックであって、第１のインクスティックと第２のインクスティックとを第１のインク色を持つインクスティックとして識別する第１の構造的機構と、相変化インク画像形成デバイスの第２モデルのインクローダへの装填口に第２のインクスティックを通すことを可能にし、相変化インク画像形成デバイスの第１のモデルのインクローダへの装填口には第２のインクスティックを通すことを不可能にする第３の構造的機構と、を有する第２のインクスティックと、を含み、第２の構造的機構と第３の構造的機構の形状を除き、第１のインクスティックと第２のインクスティックとがほぼ同一形状とする。
【手続補正３】
【補正対象書類名】明細書
【補正対象項目名】００１１
【補正方法】変更
【補正の内容】
【００１１】
また、本発明の他の実施形態に係り、複数個の相変化インク画像形成デバイスを含み、各相変化インク画像形成デバイスがインクローダを備え、各インクローダにはインクスティック用の装填口が形成された相変化インク画像形成システムにおいては、第１のインク色を有する第１のインクスティックであって、第１のインクスティックを第１のインク色を持つインクスティックとして識別する第１の構造的機構と、相変化インク画像形成デバイスの第１モデルのインクローダへの装填口に第１のインクスティックを通すことを可能にし、相変化インク画像形成デバイスの第２モデルのインクローダへの装填口にも第１のインクスティックを通すことを可能にする第２の構造的機構と、を有する第１のインクスティックと、第１のインク色を有する第２のインクスティックであって、第１のインクスティックと第２のインクスティックとを第１のインク色を持つインクスティックとして識別する第１の構造的機構と、相変化インク画像形成デバイスの第２モデルのインクローダへの装填口に第２のインクスティックを通すことを可能にし、相変化インク画像形成デバイスの第１のモデルのインクローダへの装填口には第２のインクスティックを通すことを不可能にする第３の構造的機構と、を有する第２のインクスティックと、を含み、第２の構造的機構と第３の構造的機構の形状を除き、第１のインクスティックと第２のインクスティックとがほぼ同一形状とする。
【手続補正４】
【補正対象書類名】明細書
【補正対象項目名】００１２
【補正方法】変更
【補正の内容】
【００１２】
そして、本発明の更に他の実施形態に係り、相変化インク画像形成デバイス用の複数種類のインクスティックを形成する方法は、第１のインク色を有する第１のインクスティックであって、第１のインクスティックを第１のインク色を持つインクスティックとして識別する第１の構造的機構と、相変化インク画像形成デバイスの第１モデルのインクローダへの装填口に第１のインクスティックを通すことを可能にし、相変化インク画像形成デバイスの第２モデルのインクローダへの装填口にも第１のインクスティックを通すことを可能にする第２の構造的機構と、を有する第１のインクスティックを形成するステップと、
第１のインク色を有する第２のインクスティックであって、第１のインクスティックと第２のインクスティックとを第１のインク色を持つインクスティックとして識別する第１の構造的機構と、相変化インク画像形成デバイスの第２モデルのインクローダへの装填口に第２のインクスティックを通すことを可能にし、相変化インク画像形成デバイスの第１のモデルのインクローダへの装填口には第２のインクスティックを通すことを不可能にする第３の構造的機構と、を有する第２のインクスティックを形成するステップと、を有する。